Podtech/llm-jp-corpus-v4-ja_patent huggingface dataset:
(57)【要約】      （修正有）【課題】一般的な長尺鉄板葺屋根・瓦葺屋根・無落雪屋根でも容易で且安価で効率的に作用する屋根上の融雪と雪庇を防止する。【解決手段】先ず長尺鉄板葺屋根Ａでは同屋根鉄板の継目４に従来からある落雪防止金具５を固定し、これに絶縁被覆熱線１入りパイプ２を繋いで固定する、この絶縁熱線１に電流を通し熱を発生させ、屋根上の雪を融かすと共に雪庇８の発生を防止できる。以下絶縁被覆熱線１とパイプ２を合せて絶縁熱線入りパイプ３とする。【選択図】図１
0003114285.tif 000002
【実用新案登録請求の範囲】
【請求項１】
絶縁被覆熱線を通したパイプを屋根上に布設し、これに電流を通し、熱を発生させ屋根上の雪を融解し、同時に雪庇の発生を防ぐことを特徴とする融雪装置。
【考案の詳細な説明】
【技術分野】
【０００１】  本考案は積雪寒冷地に於ける屋根上の雪の融雪と雪庇の防止に関する。
【背景技術】
【０００２】  本考案の屋根上の融雪や雪庇防止の関する先行技術文献としては、たとえば下記のものがある。（特許文献１参照）
この特許文献に記載されているものは、折板鋼板屋根の軒先融雪装置で折板屋根の凸部上面と底部下面に発熱パネルを布設し融雪する方法で一般的な屋根構造には適用し難い。
【特許文献１】特許出願公開番号  ２００２−１２９７１１
【考案の開示】
【考案が解決しようとする課題】
【０００３】  ところで、前記特許出願公開の折板鋼板屋根の軒先融雪装置は折板屋根専用であると同時に発熱パネルと云うことで一般的な長尺鉄板屋根や瓦葺屋根及び無落雪屋根には費用が大きく適用が難しいと共に屋根上全体の融雪は出来ない。【０００４】  そこで本考案は、一般的な長尺鉄板葺屋根・瓦葺屋根・無落雪屋根でも容易で且安価で効率的に作用する屋根上の融雪と雪庇を防止することを課題とし、この課題を解決する装置の提供を目的とする。
【課題を解決するための手段】
【０００５】  前記目的を達成するために本考案が採用した技術的手段は、絶縁被覆熱線を通したパイプを屋根上の必要な個所に布設し、電流を通し、その熱に依り、屋根上の雪を融かし又、この熱に依り雪庇部分を融雪切断し落下させることである。（請求項１）
【考案の効果】
【０００６】  本考案の屋根上の雪の融雪と雪庇防止装置によれば、例えば勾配のある屋根に本考案の絶縁被覆熱線入りパイプを布設すれば、被覆熱線がパイプに依り保護されるため痛むことなくこの周囲の雪が熱せられ温水となり夫々下方に流れ、屋根上全体の融雪を行う、従って軒先が凍結しない、依って上方で融雪水がプール状態にならないので、すが漏れが発生しない又、同時に雪が積もらないので雪庇も発生しない。
【考案を実施するための最良の形態】
【０００７】  次に本考案を実施するための最良の形態を図１ないし図３に基づいて説明する。なお、本形態では長尺鉄板葺屋根Ａ・瓦葺屋根Ｂ・無落雪屋根Ｃについて夫々説明する。【０００８】  先ず長尺鉄板葺屋根Ａでは同屋根鉄板の継目４に従来からある落雪防止金具５を固定し、これに絶縁被覆熱線１入りパイプ２を繋いで固定する、この絶縁熱線１に電流を通し熱を発生させ、屋根上の雪を融かすと共に雪庇８の発生を防止できる。以下絶縁被覆熱線１とパイプ２を合せて絶縁熱線入りパイプ３とする。（図１参照）【０００９】  次に瓦葺屋根Ｂについて述べる、瓦葺屋根では絶縁熱線入りパイプ３を途中で固定することが出来ないから、屋根頂部６で固定された線状態のもの７を下方迄伸ばし、これに夫々所定の位置で絶縁被覆熱線入りパイプ３を固定し、これに電流を流すことで屋根上の雪を融解するとともに、雪庇８の発生を防止出来る。（図２参照）【００１０】  次に無落雪屋根については、屋根頂部の水平部９に雪庇８が発生する。これに対し、無落雪屋根頂部の水平部９に絶縁熱線入りパイプ３を布設し、これに固定金具１０をかぶせ、水密性パツキン１１を挟んだビス１２で固定する。この絶縁熱線入りパイプ３に電流を流すことで、この雪庇８周囲の雪が融け切断され、突出した雪庇が自然落下する。（図３参照）
尚、雪庇は北面や東面と風下に出来易い。【００１１】  長尺鉄板葺屋根Ａにおいても瓦葺屋根Ｂと同様に、線状態のもの７を利用して絶縁熱線入りパイプ３ほ布設することも任意である。【００１２】  線状態のもの７とは、例えばワイヤーロープ・鉄線・化繊等のロープ・鉄筋・木材等がある。【００１３】  尚、積雪センサーを屋根上に設けることで、自動的に融雪することも任意である。【００１４】  なお、本考案は、例示した構成に限定されもものでなく、発明請求の範囲の項に記載された内容から逸脱しない範囲で実施することも任意である。
【図面の簡単な説明】
【００１５】（図１）本考案における長尺鉄板葺屋根についての側面図と伏図及び詳細図。
（図２）本考案における瓦葺屋根についての伏図と側面図及び詳細図。
（図３）本考案における無落雪屋根についての平面図と側面図及び詳細図。
【符号の説明】
【００１６】  Ａ：長尺鉄板葺屋根
Ｂ：瓦葺屋根
Ｃ：無落雪屋根
１：絶縁熱線
２：パイプ
３：絶縁熱線入りパイプ（１と２）
４：継目（長尺鉄板屋根のはぜ）
５：落雪防止金具
６：屋根頂部
７：線状態のもの
８：雪庇
９：屋根頂部の水平部（無落雪屋根）
１０：固定金具
１１：水密性パツキン
１２：ビス
【図１】
0003114285.tif 000003
【図２】
0003114285.tif 000004
【図３】
0003114285.tif 000005
(57)【要約】      （修正有）【課題】自分自身、自宅で手軽に、体重を加えながら筋肉や関節等を、ほぐす為の用具を提供する。【解決手段】本用具は、平行棒状等の、形状クッションを用いる事で滑りを押さえて、加圧部位への加圧が確実になされる上、回転台を用いる事で、円滑な姿勢制御が可能になる為、加圧部位へ、ひねり、ゆさぶり等を加える際、身体全体を動員した姿勢がとり易すくなって全身のほぐしが加速されます。【選択図】図１
0003114283.tif 000002
【実用新案登録請求の範囲】
【請求項１】
回転台の表面または両面に、滑り止めを兼ねた形状クッションを取り付けた事を特徴とする、ゴロ寝整体具
【請求項２】
回転台の表面に、滑り止めを兼ねた形状クッションを取り付けた事を特徴とするゴロ寝整体具と、前記ゴロ寝整体具を揺り動かす、周期及び振り幅調節可能な電動起揺台とを、備えた事を特徴とするゴロ寝整体具
【考案の詳細な説明】
【技術分野】
【０００１】  本考案は、自分自身、自宅で手軽に、体重を加えながら筋肉や関節等を、ほぐす為の用具を提供するものである。［背景技術］【０００２】  従来、生活習慣や、老化によって腰が曲がり、背中が丸くなって身体全体の可動域が狭くなり、運動能力も低下してくる。これを改善出来る整体術は保健が効かない。自分自身で、自宅で出来る簡便な方法が無かった。［考案の開示］［課題を解決するための手段］【０００３】  仰向けや横臥姿勢で、主として肩、背中、上腕部等の筋肉や関節部位を、本用具上に乗せて、体重の一部を移動して加圧しながらほぐしつつ、更に四肢を含む身体全体を動員して、ひねり、スライド、揺さぶり等を加えることで、可動域を徐々に拡大しつつ、その効果を順次全身に波及させてゆきます。［考案の効果］【０００４】  本用具は、平行棒状等の、形状クッションを用いる事で滑りを押さえて、加圧部位への加圧が確実になされる上、回転台を用いる事で、円滑な姿勢制御が可能になる為、加圧部位へ、ひねり、ゆさぶり等を加える際、身体全体を動員した姿勢がとり易すくなって全身のほぐしが加速されます。
【図面の簡単な説明】
【０００５】
【図１】ゴロ寝整体具（本用具）の構造を示すものです。
【図２】本用具の使用法を示すものです。
【図１】
0003114283.tif 000003
【図２】
0003114283.tif 000004
(57)【要約】      （修正有）【課題】ゴルフパターの練習の目標となると共に、広告媒体となる練習用ホールシートを提供する。【解決手段】紙、布、ビニール、木材、プラスチック又は任意の材質で形成された、ゴルフのホールカップと等しい直径１０８ミリの大きさの円形に形成した薄型シート１からなり、その表面２、裏面３に文字や図柄を印刷する。【選択図】図２
0003114282.tif 000002
【実用新案登録請求の範囲】
【請求項１】
ゴルフのホールカップと等しい大きさの円形の紙、布、ビニール、木材、プラスチック又は任意の材質で形成された、表面、裏面、或いは両面に文字や図柄が印刷可能なゴルフパター練習用ホールシート。
【考案の詳細な説明】
【考案の詳細な説明】
【技術分野】
【０００１】  本考案は、ゴルフボールをパットしてゴルフパターの練習をする際に目標となる、ゴルフのホールカップと等しい大きさの薄型シートであり、表面、裏面、或いは両面が広告媒体となる、ゴルフパター練習用ホールシートに関する。
【背景技術】
【０００２】  マットの一方がスロープになっており、そのスロープの先にホールカップとしての役割を果たす穴を設けた装置や、ホールカップとしての役割を果たす穴の回りを傾斜のついたゴムやプラスチック等で囲んだ装置は数多く存在する。
【考案の開示】
【考案が解決しようとする課題】
【０００３】  前述の装置では、入手コストや設置場所等の問題があり、装置無しでゴルフパターの練習を行う人もいるが、その場合、臨場感が無い為にプレッシャー等を感じず、メンタル面のトレーニングや、距離感、タッチ及び方向性等の技術面の練習ができないという問題点がある。【０００４】  また、装置を使用した練習でも、マットの一方がスロープになっており、そのスロープの先にホールカップとしての役割を果たす穴を設置した装置では、マットの長さが有限である為に任意の距離での距離感の練習できず、また、ホールカップとしての役割を果たす穴の回りを傾斜のついたゴムやプラスチック等で囲んだ装置では、傾斜のついたゴムやプラスチック等で囲まれており、ゴルフボールが傾斜を越える力を必要とする為、弱いタッチやホールカップの縁を狙うような微妙な方向性の練習ができないという問題点がある。
【課題を解決するための手段】
【０００５】  本考案のゴルフパター練習用ホールシートは、紙、布、ビニール、木材、プラスチック又は任意の材質で形成された、表裏どちらもが広告媒体にもなる、ゴルフパター練習時の目標としての機能を持った、ゴルフのホールカップと等しい大きさの円形で薄型のものである。
【考案の効果】
【０００６】  本考案のゴルフパター練習用ホールシートによると、広告媒体としての機能を持たせていることにより、ゴルフショップやゴルフ場のノベルティとして配布又は安価に提供されることで、安易な入手が可能となる。また、ゴルフのホールカップと等しい大きさである為に設置場所を選ばず、畳、床、絨毯及び庭等目標のない任意の場所に置くことで、臨場感のあるゴルフパター練習が可能となり、プレッシャー等を感じることが出来る為、メンタル面のトレーニング効果や、距離感、タッチ及び方向性等の技術面の練習効果を奏するものである。【０００７】  更に、ゴルフのホールカップと等しい大きさで安易に設置でき、且つ薄型である為に、従来の装置でマットの長さが有限である為にできなかった任意の距離での距離感の練習や、傾斜のついたゴムやプラスチック等で囲まれており、ゴルフボールが傾斜を越える力を必要とする為にできなかった弱いタッチの練習及びホールカップの縁を狙うような微妙な方向性の練習に効果を奏するものである。
【考案を実施するための最良の形態】
【０００８】  本考案のゴルフパター練習用ホールシートを図面により説明する。図１、図２に示すように、ゴルフのホールカップと等しい直径１０８ミリの大きさの円形に形成した薄型シート１からなる。【０００９】  この薄型シート１は、紙、布、ビニール、木材、プラスチック又は任意の材質から形成され、その表面２、裏面３に文字や図柄を印刷する。
【実施例】
【００１０】  本考案のゴルフパター練習用ホールシートは、ゴルフのホールカップと等しい直径１０８ミリの大きさの円形に形成した薄型シート１を、畳、床、絨毯、庭等任意の場所に設置し、それを目標としてゴルフボールをパットして、薄型シート１の上を通すことにより、ゴルフパターのメンタル面、技術面での練習を行う。【００１１】  また、薄型シート１の表面１、裏面２に文字や図柄を印刷して広告媒体として活用する。
【図面の簡単な説明】
【００１２】
【図１】本考案のゴルフパター練習用ホールシートの平面図である。
【図２】ゴルフパター練習用ホールシートの断面図である。
【符号の説明】
【００１３】１  薄型シート
２  表面
３  裏面
【図１】
0003114282.tif 000003
【図２】
0003114282.tif 000004
(57)【要約】      （修正有）【課題】巻き取り式ホースがいつもきれいであるように着脱可能なふき取り用スポンジを設けたふき取り機能着き巻き取り式ホースを提供する。【解決手段】巻き取り式ホースのホースをまとめる部分１に着脱可能なふき取り用スポンジ２を設けた。【選択図】図２
0003114287.tif 000002
【実用新案登録請求の範囲】
【請求項１】
巻き取り式ホースのホースをまとめる部分（１）に着脱可能なホースふき取り用スポンジ（２）を設けた巻き取り式ホース。
【考案の詳細な説明】
【技術分野】
【０００１】この発明は、巻き取り式ホースの一部にホースをきれいにふき取る機能を設けた巻き取り式ホースに関するものである。
【背景技術】
【０００２】従来の巻き取り式ホースは汚れたホースをただ巻き取るだけのものだった。
【考案が解決しようとする課題】
【０００３】これはこのような欠点があった。
（イ）ホースは主に地面に接して使用するものであるので使用の度に汚れてしまうが、従来のホースはそれをそのまま巻き込んでしまい、汚れがのこってしまった。
（ロ）人が手作業でホースを拭くのはホースが長くなればなるほど面倒で、特に忙しい作業場では時間のロスである。
本考案はこれらの欠点を除くためになされたものである。
【課題を解決するための手段】
【０００４】巻き取り式ホースのホースをまとめる部分（１）に着脱可能なふき取り用スポンジ（２）を設ける。
本発明は以上のような構成よりなる、まきとるたびにきれいなホースである。
【考案の効果】
【０００５】長いホースをいちいち手で拭く必要がなくなり、作業が軽減される。またいつもきれいな状態でホースを使うことができて作業場の美化につながる。
【考案を実施するための最良の形態】
【０００６】以下、本考案の実施の形態について説明する。
巻き取り式ホースのホースをまとめる部分（１）に着脱可能なふき取り用スポンジ（２）を設け、巻き取る最中にホースがここを通過するようにする。するとホースのよごれがとれた状態でまきとることになる。スポンジは着脱可能なので、これはよごれたら取り外して洗うことにする。
【図面の簡単な説明】
【図１】本考案の斜視図である
【図２】本考案のスポンジ取り外し図である
【符号の説明】
１    ホースまとめ部分
２    ふき取り用スポンジ
【図１】
0003114287.tif 000003
【図２】
0003114287.tif 000004
(57)【要約】      （修正有）【課題】印鑑を押印する時に、その印鑑の名字や絵柄等が左右に傾斜しないで正確に押印出来る様にした印鑑を提供する。【解決方法】従来の印鑑に施されている前面部の表示を背面部（後側）に移動しその表示を下向き矢印（▼）に変更して印鑑の最下部に表示する。更に印鑑の頭部表面部分に十文字（＋印）表示を付加し、その一端を矢印まで延長して、紙面と印鑑の矢印との接点を直視できる様に改良したものである。【選択図】図１
0003114281.tif 000002
【実用新案登録請求の範囲】
【請求項１】
印鑑の頭部表面に十文字（＋印）を表示、その一端を胴体背面の最下部まで延長させるとともに、その最下部に下向き矢印（▼）を表示して、押印時に字体が左右にぶれたり傾斜することなく、正確に押印できる印鑑。
及びそれ等の表示を各々単独で用いた印鑑。
【考案の詳細な説明】
【技術分野】
【０００１】  本考案は、印鑑を押印する時に、その印鑑の名字や絵柄等が左右に傾斜しないで正確に押印できる様にした印鑑に関するものである。
［背景技術］【０００２】  従来における印鑑は、その印鑑に彫られた名字や絵柄等を左右に傾斜させないで正確に押印することが、なかなか難しく押し直しをすることが多々ある。【０００３】  従来における印鑑をもって押印するには、押印者は従来から表示されている印鑑前面部の表示を頼りに印鑑を後方上側から見下げながら押印している。
そして、それは各人の指の癖等ともあいまって字体等が左右に傾斜して正確に押印できていない。【０００４】  特に重要な書類の場合にあっては、その扱い者によっては、まともな押印ができないで問題になっている場合もある。
［考案の開示］
［考案が解決しようとする課題］【０００５】  本考案は、押印の際左右に傾斜している不正確さを正し、一度限りの押印で正確に押印できる様に改良したものである。
本考案は、印鑑に新しい表示を施し、正確な押印を行うことができ従来品の欠点を正している。
［課題を解決するための手段］【０００６】  本考案は、従来の印鑑の「前面部を表す表示」を図−１の如く背面部の最下部に移動し、下向き矢印（▼印）で表示する。
更に頭部表面部分には十文字（＋印）を設け、その一端を図−１の如く印鑑胴体の最下部まで延長し、▼印まで至らしめる。
背面最下部の「表示▼印と直線」をもって紙面との接点を直視しながら押印できる様に改良したものである。
［考案の効果］【０００７】  本考案は、従来品の前面表示位置を背面下部に変更し、さらに従来品にない頭部表面部分と胴体背面及びその最下部に前述の表示をすることで、前後左右を正確に捕らえ押印時に生ずる傾斜を防ぐことができる。
即ち、全図示の如く、これらの表示を設けることで正確な押印が１度で出来る。
メ−カ−においても現状の製作費内で応えられる範囲と思われる。
［実施例］【０００８】  以下、本考案の実施例を添付図面で説明する。
図−１と図−２及び図−３は実施例を示し、押印者には前面部と背面部が正確に判断出来、且つ押印時には紙面との接点における字体の最下部が確認でき、正確に押印出来る。
【図面の簡単な説明】
【０００９】本考案に限った図示である。
［図１］印鑑の背面からの俯瞰図で、頭部表面に＋印を、背面部分には＋印の一端を胴体の最下部まで延長し、末端には矢印（▼）を表示したものである。
［図２］印鑑の前面からの図示で、頭部表面の＋印を俯瞰したものであるが、従来の印鑑では表示されている前面の表示が削除されたものである。
［図３］印鑑の正背面からの図であるが、「山田」性を一例として表現したものである。
【符号の説明】
【００１０】イ      底面
ロ      頭部表面
ハ      背面部
ニ      前面部
【図１】
0003114281.tif 000003
【図２】
0003114281.tif 000004
【図３】
0003114281.tif 000005
【手続補正書】
【提出日】平成17年6月16日(2005.6.16)
【手続補正１】
【補正対象書類名】実用新案登録請求の範囲
【補正対象項目名】全文
【補正方法】変更
【補正の内容】
［書類名］    実用新案登録請求の範囲
［請求項１］
印鑑に彫られている文字や絵柄の上下左右を確認の上、印鑑頭部の表面一杯に十文字線を上下左右に合わせて表示、その十文字線の下端を印鑑の最下部まで延長し且つその最下部に下向き矢印を表示することで正確な押印を一度で可能とする印鑑。
(57)【要約】【課題】本考案はトイレットペーパーホルダー上部に設けて、トイレットペーパーを覆い被せることによって、水の飛散から保護する。【解決手段】本考案は、撥水性に富んだ材質の１と２によって、構成してあり、それに着脱自在のテープが装着してある。使用時は着脱自材のテープ７と８を剥がし、次に、６と９を剥がして折り畳んであるそれぞれの面を広げ、２をトイレットペーパーの下部に持っていき、最後に１０、１１、１２のいづれかの着脱自在のテープを、壁面の任意の位置にある着脱自在のテープを張り付けることにより、ペーパーの防滴に効果がある。【選択図】図１
0003114284.tif 000002
【実用新案登録請求の範囲】
【請求項１】
既に、壁面に取り付けられたトイレットペーパーホルダーの上に、折り目のついた撥水性のある材質１と２で構成された本体を折り畳んだ状態で固定して、使用時に着脱自在のテープ、若しくは、磁石片で止めた箇所を外し、１を広げてトイレットペーパーホルダーに被せ、次に２の先をトイレットペーパーホルダーの下の壁面の着脱自在のテープ、若しくは磁石片に止めることによって、水の飛散からトイレットペーパーを保護する、折り畳み式を特徴とした防滴カバー。
【請求項２】
請求項１で記載のトイレットペーパーホルダーにおいて、トイレットペーパーの断面を覆うことのできる側板が設けられたものに対応する。トイレットペーパーホルダーの上の壁面に折り目のついた撥水性のある材質３を折り畳んだ状態で固定して、使用時に３の先を側板の底の面の着脱自在のテープ、若しくは磁石片に止めることによって、トイレットペーパーを水の飛散から保護することを目的とする、折り畳み式を特徴とした防滴カバー。
【考案の詳細な説明】
【技術分野】
【０００１】  本考案は広く市販されているトイレットペーパーの防滴に関するものである。
【背景技術】
【０００２】  ユニットバスにおいて、入浴したりシャワーを使用する場合、水が飛散するので、その都度トイレットペーパーを外してした。
【考案の開示】
【考案が解決しようとす課題】
【０００３】  トイレットペーパーをホルダーから外して、水の掛からない場所に移す手間、さらには水の飛散によってトイレットペーパーのホルダーの面が濡れるため、雑巾等で拭く手間、その後のトイレットペーパーを取り付ける手間を解決するものである。
【課題を解決するための手段】
【０００４】  本考案は、折り畳んだ撥水性のある合成樹脂等の材料で構成された防滴カバーをトイレットペーパーのホルダー上部に設置してあり、入浴時に防滴カバーを折り目にそって広げ、ホルダーに被せて使用し、入浴後は、元の状態に折り畳んでおく。
【考案の効果】
【０００５】  上述の様に使用することによって、ユニットバスでの入浴の際の煩わしさから解放し、トイレットペーパーを付け忘れることがなく、又、防滴カバーを壁面に設置しておくので、防滴カバーを失うことがなく、簡単に使用でき、場所をとることがない。
【実施例】
【０００６】  以下、請求項１について一実施例を説明する。トイレットペーパーホルダー上部の壁面に４で取り付けた本考案は１と２をｅ部にて接着して構成してある。使用は７と８、６と９を剥がし、次にｄを離して、ｂとｃを直角に折りホルダーの左右の側板の外に降ろし、２をトイレットペーパー残量に応じて折り曲げて１０、１１、１２の何れかをホルダー下の壁面に接着した１３に張り付ける。入浴後に収納する時は、１３に張った着脱自在のテープを剥がし、ｆ部を折り曲げつづいて、６と９を張り、ｂ、ｃの順に折り畳んで、７と８を張り合わせる。【０００７】  次に、請求項２について一実施例を説明する。トイレットペーパーホルダー上部壁面に粘着テープ５で、本体３を固定する。使用時は１４と１５を剥がして、３をホルダー側板の下部まで折り曲げて１６と１８、１７と１９を張り付けてセットする。収納は１６と１８、１７と１９を剥がして、ｇ部を折り畳んで１４と１５を張りつける。
【図面の簡単な説明】
【０００８】
【図１】請求項１の考案の展開図である。
【図２】壁面に接着する着脱自在のテープの正面図である。
【図３】本考案の使用時の側面図である。
【図４】請求項２の考案の展開図である。
【図５】ホルダーの側板下部の着脱自在のテープの位置を示す図である。
【符号の説明】
【０００９】１、背板、上板、側板を含む防滴カバー
２、ペーパー前面、下方部の防滴カバー
３、背板、上板及びペーパー前面、下部の防滴カバー
４、５、粘着テープ
６、７、８、９、１０、１１、１２、１３、１４、１５、１６、１７、１８、１９、着脱自在のテープ
ａ、背板
ｂ、右側板
ｃ、左側板
ｄ、上板
ｅ、接着部
ｆ、ｇ、折り目線
【図１】
0003114284.tif 000003
【図２】
0003114284.tif 000004
【図３】
0003114284.tif 000005
【図４】
0003114284.tif 000006
【図５】
0003114284.tif 000007
【手続補正書】
【提出日】平成17年6月21日(2005.6.21)
【手続補正１】
【補正対象書類名】実用新案登録請求の範囲
【補正対象項目名】全文
【補正方法】変更
【補正の内容】
【実用新案登録請求の範囲】
【請求項１】
既に壁面に設置してあるトイレットペーパーホルダーの上方の壁面に、トイレットペーパー前面及び下方部を覆う折り目のついた防滴カバーと折り目のついた撥水性を有する材質の背板、上板、右側板、左側板とで、構成された本体を折り畳んだ状態で取り付けて、使用の際に、着脱自在テープ、若しくは磁石片で止めた箇所を外し、本体を広げてトイレットペーパーホルダーに被せ、次にトイレットペーパーホルダーの下方の壁面の着脱自在テープ、若しくは磁石片に止めることによって、水の飛散からトイレットペーパーを保護する、折り畳み式を特徴とした防滴カバー。
【請求項２】
トイレットペーパーホルダーに於て、トイレットペーパーの断面を覆うことのできる側板が設けられたものに用いて、トイレットペーパーホルダーの上方の壁面に折り目のついた撥水性を有する材質の背板、上板、トイレットペーパー前面及び下方部を覆う防滴カバーを折り畳んだ状態で取り付けて、使用時にトイレットペーパーホルダーの側板の底の面に設けた着脱自在のテープ、若しくは磁石片に止めることによって、トイレットペーパーを水の飛散から保護することを目的とする、折り畳み式を特徴とした防滴カバー。
(57)【要約】【課題】本考案は毛材を接着により植毛しているブラシを植え込んだスポンジにおいて毛材の絡み合い防止と植毛の容易化に優れた清掃用、健康用ブラシを提供するものである。【解決手段】発泡材または繊維からなるブラシの植毛台１の発泡材に面取り加工を施し放射状の角度で太い穴５と細い穴６を２段にあけ、毛材を糸で２回巻いて編み込んで植毛裏上面に出る糸を保護し手触りと見栄えを考慮、蓋３を接着貼り合わせた構成にしたブラシまた、毛材２を外側に突出させるこにより毛材の絡み合いが防止され、穴をあけることにより角度の調整で微妙な毛腰の強弱をつけることができ、また植毛の容易化と毛抜け防止や見栄えが実現し、これにより上記課題を解決するものである。【選択図】図７
0003114288.tif 000002
【実用新案登録請求の範囲】
【請求項１】
発泡材に適度な角度と必要数の２段穴をあけ、裏より糸を通し、２回巻にして毛材を真ん中から折り曲げて植毛し、裏側を接着により蓋をした清掃用、健康用ブラシ。
【考案の詳細な説明】
【技術分野】
【０００１】本考案は、発泡材又は繊維（化学、植物、動物）からなる清掃用、又は健康用ブラシに関する。
【背景技術】
【０００２】スポンジに大き目の穴をあけその中の底面に接着植毛したブラシが従来より知られている。
（例えば特許文献１を参照）
【特許文献１】実用新案登録番号第３０３５３７３号
【考案の開示】
【考案が解決しようとする課題】
【０００３】しかしながら、毛材をスポンジの中に接着植毛しているため、毛がスポンジと絡み合い団子状になるまた、毛材を接着により植毛しているため、毛の角度の設定や接着作業が極めて困難であり仕上がり状態の見栄えも悪く、また、接着面が少ないため毛が抜けやすい欠点がある。
【課題を解決するための手段】
【０００４】本考案は、発泡材又は繊維（化学、植物、動物）からなる清掃用、又は健康用ブラシ、植毛台の発泡材を面取り加工し、その上面に一定の角度又は、放射状の角度で太い穴と細い穴を２段にあけ毛材を糸で２回巻いて編み込んで植毛、裏上面に出る糸を保護し手触りと見栄えを考慮、蓋を接着貼り合わせした構成のブラシ、毛材のみのブラシのため絡み合いが防止され、穴をあけることにより角度の調整、また、植毛の容易化と毛抜け防止や見栄えが実現し、これにより上記課題を解決するものである。
【考案の効果】
【０００５】本考案に係る清掃用、健康用ブラシは植毛台に適切な角度を付けた穴に糸で２回巻に編み込み植毛する事により摩擦などによる抵抗で毛抜けなくまた、毛の角度により毛腰の調整や被洗体の隙間まで容易に毛が届き洗う事が出来、実用性に優れたものである。
【考案を実施するための最良の形態】
【０００６】図１に示すように面取り加工を施した発泡材本体に適切なレイアウトで必要数の２段穴を５と６のようにあける。【０００７】糸穴６から５の穴を通し図２のように輪を設ける。【０００８】それに毛材２を挿入し図３のように２回巻にする。【０００９】毛材２を図４のように二つ折りにして揃える。【００１０】図５のように植毛穴５に挿入し糸４を引き締めて穴５に固定する。【００１１】植毛後、裏面の糸の上から接着剤を塗布し蓋３を図６のように貼り合わせる。【００１２】貼り合わせた部分の面取り加工を施し、図７のように完成する。
【産業上の利用可能性】
【００１３】パソコンや事務機等の精密機器のホコリ払いや化粧用ブラシに利用できる。
【図面の簡単な説明】
【００１４】
【図１】本考案に係る清掃用、健康用ブラシに穴をあけた植毛台の断面図である。
【図２】本考案に係る清掃用、健康用ブラシの植毛台に糸を通した断面図である。
【図３】本考案に係る清掃用、健康用ブラシの毛材を束ねた状態である。
【図４】本考案に係る清掃用、健康用ブラシの毛材を二つ折りにした正面図である。
【図５】本考案に係る清掃用、健康用ブラシの毛材を二つ折りにして、２段穴に植毛した断面図である。
【図６】本考案に係る清掃用、健康用ブラシに蓋をして接着した断面図である。
【図７】本考案にかかる清掃用、健康用ブラシの完成図である。
【符号の説明】
【００１５】    １発泡材
２毛材
３蓋
４糸
５植毛穴（大）
６植毛穴（小）
【図１】
0003114288.tif 000003
【図２】
0003114288.tif 000004
【図３】
0003114288.tif 000005
【図４】
0003114288.tif 000006
【図５】
0003114288.tif 000007
【図６】
0003114288.tif 000008
【図７】
0003114288.tif 000009
(57)【要約】      （修正有）【解決手段】６は通しボルトで１及び３ａを固定ワッシャー及びナットで挟み込む形で固定され、３ｂの回転中心軸となる。７は雌ねじ切りシースを接合したスプリング付きボルトで荷重に対して３ｂの回転角度の変化に応じてスプリングが伸長する。シースに差込まれたボルトの締め具合に応じてスプリングの緊張度が変えられる。同様に８は通しボルトで４及び５ａを固定ワッシャーおよびナットで挟み込む形で固定され、５ｂの回転中心軸となる。９はスプリング付きボルトで荷重に対して５ｂの回転角度の変化に応じてスプリングが伸長する。荷重除去時にはスプリングの収縮により原型に復元する。【効果】利用時には座部及び背部が体重等の加圧力に対応変位することによりクッション性を与え、また接触面積の増加に伴い体の特定部分への連続圧迫力を分散させることにより、利用者の体への負担及び疲労を軽減する。【選択図】図１
0003114227.tif 000002
【実用新案登録請求の範囲】
【請求項１】
肘掛、脚、座部及び背部で構成された木製椅子において、座部の軸が前後方向に並列している丸太部材が前脚を固定している通しボルトを回転軸として後脚部に取付けたスプリングの伸長により回転し、背部は同様に軸が垂直方向に並列している丸太部材が肘掛を連結している通しボルトを回転軸として背板頂部に取付けたスプリングの伸長により回転し、利用後はスプリングの収縮により原型に復元する機構を有した木製椅子。
【考案の詳細な説明】
【技術分野】
【０００１】
本発明は，屋外利用拡大を図った木製椅子に関する。
【背景技術】
【０００２】
従来の屋外用木製椅子は固定形状が常識であり利用時の際体の特定部分への連続圧迫等で長時間座り続けるには困難であった。
【０００３】
またリクライニング機構を内蔵したもの（例えば実登３０１４６６４及び特開平０８−２１４９７６）も見られるが、座部は板材で詰物を添加することで被覆及び体への圧力分散・緩和を図っているが屋外での使用は考慮されていない。
【特許文献１】実登３０１４６６４号公報
【特許文献２】特開平０８−２１４９７６号公報
【０００４】
社会の高齢化及び余暇時間の拡大により庭などの木陰で過ごす時間を拡大提供することは、夏場の冷房時間の短縮等につながり電気使用量の減少に伴う炭酸ガス排出の緩和にも寄与する。
【０００５】
背部丸太の使用本数を偶数本にすることにより、背骨への加圧を排除し背力筋へ分散することにより指圧の効果も期待している。
【０００６】
小径間伐材の特徴である白木丸太の使用は素材感を愛でる日本人の感性に馴染むものであり、小径木の使用は体型の個人差に追従し易く使用後の原型復元を容易にしている。
【考案の開示】
【考案が解決しようとする課題】
【０００７】
解決しようする問題点は従来固定形状が多い屋外用木製椅子が有する体の特定部分への連続圧迫力を分散させることにより、快適でより長時間の利用を図るものである。
【課題を解決するための手段】
【０００８】
肘掛、脚、座部及び背部で構成された木製椅子において、座部の軸が前後方向に並列している丸太部材が前脚を固定している通しボルトを回転軸として後脚部に取付けたスプリングの伸長により回転し、背部は同様に軸が垂直方向に並列している丸太部材が肘掛を連結している通しボルトを回転軸として背板頂部に取付けたスプリングの伸長により回転することによって利用者の体型に合わせて、座部および背部丸太部材の各回転角度の差により利用者の体型に追従し、利用後はスプリングの収縮により原型に復元する機構を有している。
【０００９】
スプリングを使用することにより個人毎の体重に呼応した変位が得られ、接触面積の増加に伴い圧迫力が拡散され連続的圧迫による疲労の軽減に寄与し、利用後はスプリングの収縮力により整然とした原型が回復できる。
【考案の効果】
【００１０】
利用時には座部及び背部が体重等の加圧力に対応変位することによりクッション性を与え、また接触面積の増加に伴い体の特定部分への連続圧迫力を分散させることにより、利用者の体への負担及び疲労を軽減する。
【考案を実施するための最良の形態】
【００１１】
この実施例を図１〜９に基づいて説明すると、座部各部材（３ｂ）は通しボルト（６）を中心として回転し圧力の大きさに対してスプリング（７）の張力が対応し各部材の回転角度が変わり体型に追従し（１１）圧力除去時には原型に復元する。
【００１２】
スプリング（７）は雌ねじ切りシース（１９）と接着しておりボルト（１８）の締め具合によって伸縮度が調整できる。
【００１３】
背部も同様に各部材（５ｂ）は通しボルト（８）を中心として回転し圧力の大きさに対してスプリング（９）の張力が対応し各部材の回転角度が変わり体型に追従し（１１）圧力除去時には原型に復元する。
【００１４】
椅子の構造材は前脚（１）後脚（２）側台輪（３ａ）肘掛（４）背束（５ａ）を通しボルト（６、８）及び緊張材（１０）で構成する。
【産業上の利用可能性】
【００１５】
小径間伐材の利用を前提としており、従来小径間伐材はチップ化によるマルチング資材又は公共工事の樹木支柱等の利用が主であり、流通部門では素材としての価値しか有していなかったが付加価値を付けることにより間伐材の新しい利用範囲を開拓することは森林の維持育成に要する費用の捻出に寄与するものと考える。
【００１６】
併せてスギ・ヒノキの白木が有する素材感を理解してもらうことにより伝統木工の美及び間伐材への理解と森林保護の必要性を社会に流布する一端となればと願うものである。
【図面の簡単な説明】
【００１７】
【図１】本実施例を示す椅子本体の平面図である。
【図２】本実施例を示す椅子本体の側面図である。
【図３】本実施例を示す椅子本体の正面図である。
【図４】側面方向から見た椅子本体の断面図である。
【図５】正面方向から見た６の取付詳細図である。
【図６】正面方向から見た７の取付詳細図である。
【図７】上から見た８の取付詳細図である。
【図８】上から見た９の取付詳細図である。
【図９】正面方向から見た１０の取付詳細図である。
【符号の説明】
【００１８】
１前脚
２後脚
３ａ側台輪
３ｂ座板
４肘掛
５ａ背束
５ｂ背板
６通しボルト
７可変スプリング付きボルト
８通しボルト
９固定スプリング付きボルト
１０貫（ぬき）
１１変形後位置
１２両切りボルト
１３ワッシャー
１４スプリングワッシャー
１５ナット
１６固定ワッシャー
１７スプリング
１８ボルト
１９雌ねじ切りシース
２０全ボルト
【図１】
0003114227.tif 000003
【図２】
0003114227.tif 000004
【図３】
0003114227.tif 000005
【図４】
0003114227.tif 000006
【図５】
0003114227.tif 000007
【図６】
0003114227.tif 000008
【図７】
0003114227.tif 000009
【図８】
0003114227.tif 000010
【図９】
0003114227.tif 000011
(57)【要約】【課題】各種の靴に適応し、美観を高め、且つ履き心地がよいフットカバー構造を提供する。      【解決手段】フットカバー構造は、足底部２０、つま先部３０、踵部４０から構成される。そのうち、足底部２０は、人の足底に合う形状で、前側につま先部３０が成形され、踵部４０は少なくとも足の踵を覆う。これによって、履いた時、足底、つま先、踵を前記足底部２０、つま先部３０、踵部４０が覆い、側面部は外に出る。そのため、側面部が開いた靴を履いたときでもフットカバーは外からは見えない。【選択図】図４
0003114222.tif 000002
【実用新案登録請求の範囲】
【請求項１】
足底部、つま先部、踵部から構成されたフットカバー構造において、そのうち、人の足底形状に合った足底部と、前側に成形されたつま先部と、少なくとも人の足の踵を覆う踵部から構成され、
人が履いた時、足底、つま先、踵を前記足底部、つま先部、踵部によって覆い、足の側面部は外に出ることを特徴とするフットカバー構造。
【請求項２】
前記踵部は、上端に締め紐が伸びることを特徴とする請求項１記載のフットカバー構造。
【請求項３】
前記つま先部、踵部は、軟質弾性ゴム層を設置することを特徴とする請求項１記載のフットカバー構造。
【考案の詳細な説明】
【技術分野】
【０００１】
本考案は、フットカバー構造に関するもので、各種の靴に適用し、履いたときの美しさとフィット感を具えるものである。
【背景技術】
【０００２】
靴を履いた時、多くの人がフットカバーを使用する。靴下を靴の中に隠し、服装全体の美観を保つ。市場でよく見られるフットカバー１０(図１、図２参照)は、足底部１１の前につま先部１２が成形され、後部には踵部１３が成形され、両側面には側面部１４が成形される。全体の形状は舟形で、つま先部１２、踵部１３に足を入れ、側面部で足全体を覆う。
【特許文献１】特開平１０−２９２２０６号公報
【考案の開示】
【考案が解決しようとする課題】
【０００３】
解決しようとする問題点は、下述のとおりである。
フットカバーは、靴を履いたときに外から見えないことを目的としているため、足を覆う面積が小さく、脱げてしまうことがある。
また、図３に示すように、側面部が開いた靴を履いた時(例としてハイヒール)、このフットカバー１０の側面部１４が外から見えてしまい、美しさに欠ける。
【課題を解決するための手段】
【０００４】
本考案の請求項１に記載のフットカバー構造は、
主に足底部、つま先部、踵部から構成されたフットカバー構造において、そのうち、人の足底形状に合った足底部と、前側に成形されたつま先部と、少なくとも人の足の踵を覆う踵部から構成され、人が履いた時、足底、つま先、踵を前記足底部、つま先部、踵部によって覆い、足の側面部は外に出ることを特徴とする。
【０００５】
請求項２に記載のフットカバー構造は、請求項１において、前記踵部が、上端に締め紐が伸びることを特徴とする。
【０００６】
請求項３に記載のフットカバー構造は、請求項１において、前記つま先部、踵部が、軟質弾性ゴム層を設置することを特徴とする。
【考案の効果】
【０００７】
本考案のフットカバー構造は、各種の靴に適応し、美観を高め、且つ履き心地がよいという利点がある。
【考案を実施するための最良の形態】
【０００８】
図４に示すとおり、本考案のフットカバーは各種適する材質(例として綿、麻、絹、レース等)で作られ、足底部２０、つま先部３０、踵部４０から構成される。
【０００９】
足底部２０は、人の足の形状に合わせ、前側にはつま先部３０を成形する。このつま先部３０は少なくともつま先部分を覆う。後部は踵部４０を成形し、踵部４０は人の踵の形状に合わせ、踵を覆う。つまり、本考案は履いた時、足底部２０、つま先部３０、踵部４０が足底、つま先、踵を覆う。ただ、足の側面部は覆わない(図５参照)。他に（図６参照）足底部２０のつま先部３０に対応する部分には軟質弾性ゴム層２１を選択式で設置する。つま先部３０の内側にも選択式で軟質弾性ゴム層３１を設置し、同じく踵部４０の内側にも選択式で軟質弾性ゴム層４１を設置する。更に踵部４０の上端縁に締め紐４２を設置する。この締め紐４２は環状で、足首で締める(図７参照)。またこの締め紐４２を帯状にして足首上部で締める(図８参照)。この締め紐４２は踵部と同じ材質で作ってもいいし、別の適する材質(リボン、透明紐、弾性ゴム紐、飾り紐等)で作ってもよい。
【００１０】
上述の構造により、使用者が本考案のフットカバーを履くと、足底、つま先、踵の部分が足底部２０、つま先部３０、踵部４０によって覆われる。そして、足の側面部は外に出る。そのため、使用者が側面部にカットが入った靴５０(例としてハイヒール)を履いた時、側面部はフットカバーに覆われていないため、フットカバーが外から見えることがなく、フィット感もより向上する(図９参照)。この他、足底部２０、つま先部３０及び踵部４０に軟質弾性ゴム層２１、３１、４１を設置する。これはフットカバーを器具によって伸ばし、表面繊維の隙間に加熱して溶かしたゴム層を塗布し、ゴム層を冷却して固めると完成する。但し、この方法は、軟質弾性ゴム層の一例に過ぎず、粘着、高周波による貼り合わせ等その他の方法で設置してもよい。軟質弾性ゴム層２１、３１、４１の設置によって、使用者がフットカバーを履いた時、滑り防止、緩衝、振動吸収の効果があり、ストッキングの脱落を防止し、足を保護する効果もある。また、踵部４０上端の締め紐４０は、環状もしくは帯状で、材質はリボン、透明紐、弾性ゴム紐、飾り紐等で履いた時の美観の他に、脱落を防止し、靴の中で安定して固定する。
【図面の簡単な説明】
【００１１】
【図１】公知のフットカバーの立体構造図である。
【図２】公知のフットカバー使用指示図（一）である。
【図３】公知のフットカバー使用指示図（二）である。
【図４】本考案の立体構造図である。
【図５】本考案を履いた状態指示図である。
【図６】本考案に軟質弾性ゴム層を設置した断面指示図である。
【図７】本考案に締め紐を設置した指示図（一）である。
【図８】本考案に締め紐を設置した指示図（二）である。
【図９】本考案を使用して靴を履いた状態図である。
【符号の説明】
【００１２】
１０        フットカバー
１１        足底部
１２        つま先部
１３        踵部
１４        側面部
１５        靴
２０        足底部
２１        軟質弾性ゴム層
２２        軟質弾性ゴム層
３０        つま先部
３１        軟質弾性ゴム層
４０        踵部
４１        軟質弾性ゴム層
４２        締め紐
５０        靴
【図１】
0003114222.tif 000003
【図２】
0003114222.tif 000004
【図３】
0003114222.tif 000005
【図４】
0003114222.tif 000006
【図５】
0003114222.tif 000007
【図６】
0003114222.tif 000008
【図７】
0003114222.tif 000009
【図８】
0003114222.tif 000010
【図９】
0003114222.tif 000011
(57)【要約】【課題】  リング・ピローの形状・保管方法に選択の余地を持たせ、また、指輪の着脱方法を容易にし、かつ指輪固定時の安定性を持たせる。【解決手段】  リング・ピローをリース型にし、側面に壁かけようのフックをとりつける。また、中央部の指輪固定部分の形状を輪状にし、着脱を容易に、かつ指輪固定時の安定性を向上させる特徴を持つ。【選択図】      図4
0003114228.tif 000002
【実用新案登録請求の範囲】
【請求項１】
ワイヤー・ビーズ・プリザードフラワー（加工生花）・造花等を使用し、リース型で側面に壁かけようのフックが着いているリング・ピロー
【請求項２】
リング・ピローの中央部に輪状になったフックが着いており、その輪状フックに指輪をかけることが可能であるリング・ピロー
【考案の詳細な説明】
【技術分野】
【０００１】
本考案は、キリスト式結婚式の際、結婚指輪を置く為に使用される敷物、又はそれに相応する箱等のリング・ピローに関する。
【背景技術】
【０００２】
従来、リング・ピローは綿の入ったクッション状の物であるか、生花等を箱の中に敷き詰めた物など、一定の形状の物以外流通しておらず、選択の幅がごくわずかであったこと、及び、挙式使用後はその保管方法に最良の方法がない為、オリジナル・ウェディングがささやかれる昨今、リング・ピローに至っては購入せずに、挙式会場のリースを利用する消費者も多い。
【０００３】
使用の際、結婚指輪を固定する方法が、リボン等で一時的に固定するかＵ字型等のフックにかけるのみの構造であった。
【０００４】
使用後の保管については、上記形状の為、置物として保管する物であった。
【考案の開示】
【考案が解決しようとする課題】
【０００５】
上記の如く、従来のリング・ピローは形状・保管法方、共に単一的であり、消費者の選択の幅が狭く、現状、購入せずに挙式場等のリースで対応してしまう消費者も多い。
【０００６】
指輪の着脱について、指輪をリボンで結び美観を保持するのは容易ではなく、またＵ字型等のフックを使用する際は、着脱は用意ではあるが、衝撃等により、指輪が落下する恐れがあり、固定方法が不安定であった。
【課題を解決するための手段】
【０００７】
従来のクッション状の形状を改良し、かつ、指輪の固定方法を改善することにより、固定時の安定性を高めた。
【考案の効果】
【０００８】
総体的な形状をリース状にし、側面部にフックを取る付けることにより、挙式使用後も壁等にかけて保管することが可能であり、購買意欲の向上に繋がる。
【０００９】
中央部の指輪を固定する箇所を輪状にすることにより、指輪の着脱を容易にし、かつ固定時の安定性を向上させることが可能である。
【考案を実施するための最良の形態】
【００１０】
以下、本考案の実施の形態を図面に基づき詳細に説明する。
【００１１】
図1は本考案の側面部平面図、図2は中央指輪固定用フック側面図の平面図、図3は中央指輪固定用フック正面図の平面図、図4は総体的な正面図の平面図である。
【００１２】
図1に示す通りワイヤーの一部に、布又は同ワイヤーによるフックがあり、挙式時にはリング・ピローとして使用し、使用後は壁掛けとしての機能を持たせることを可能に    した。
【００１３】
図2、図3に示す通り、指輪を固定するフックは、側面が輪状で２つの球体が着いており、この間を、開閉することにより、指輪の着脱を可能し、また、この形状を使用することで、指輪を固定する際、衝撃等による指輪の落下を防ぐことを可能にした。
【００１４】
図4で示すとおり、総体的な形状は円形をしており、中央部にクッション材の入ったピロー部分および上記記述にある、指輪固定用の輪状フックが着いており、外縁部に壁かけ用のフックが着いている。
【産業上の利用可能性】
【００１５】
本考案は結婚式場関係者・挙式を予定している一般消費者の為に製造、販売することが可能であり、対象者の選択の余地を広げることができる。
【００１６】
本考案は現状では挙式後に置物としてのみ使用可能であったリング・ピローを壁に掛けることを可能にし、これにより、一般消費者の購買意欲を向上させる可能性を持つ。
【図面の簡単な説明】
【００１７】
【図１】本考案の側面部であり、ワイヤーの一部に壁かけようのフックを取り付けてある。
【図２】本考案の平面中央部に取り付ける、指輪固定用のフック側面図である。
【図３】本考案の平面中央部に取り付ける、指輪固定用のフック平面図である。
【図４】本考案の平面図であり、壁かけ用フックおよび中央指輪固定用フックを取り付けた図である。
【符号の説明】
【００１８】
1    壁かけ用フック
2    リース型リング・ピロー外縁ワイヤー部分
3    指輪固定用の輪状フック、開閉部球体
4    指輪固定用の輪状フック部分
5    指輪固定用の輪状フック取り付け部分
6    指輪固定用の輪状フック、取り付けクッション材部分
7    リース作成用の加工生花、または造花等、装飾部分
【図１】
0003114228.tif 000003
【図２】
0003114228.tif 000004
【図３】
0003114228.tif 000005
【図４】
0003114228.tif 000006
(57)【要約】      （修正有）【課題】寝たきり病人の大便の始末を簡単にして介護の手助けをする介護用装着トイレの提供。【解決手段】（１）は、便を受けて細かくする容器。（２）は、（１）と病人の体を密着するようにしたスポンジ。（３）は、便を細かくする羽を回すモ−タ−。（４）は、便を細かくする羽。（５）は、センサ−。（６）は、水を（８）に送るポンプ。（７）は、便を吸入する吸入器。（８）は、水を出すノズル。（９）は、便を通すホ−ス。（１０）は、水を送るホ−ス。（１１）は、便。（１２）は、俳出する空気を出すホ−ス。【選択図】図１
0003114266.tif 000002
【実用新案登録請求の範囲】
【請求項１】
お尻の下に装着して排便の時水と便を混ぜ細かくしてホ−スで離れた所へ貯める様にしたもの。
【考案の詳細な説明】
【０００１】本案は寝たきり病人の大便をおしめを使わずに除去する機械である。
【背景技術】
【０００２】従来寝たきり病人の大小便はおしめによって始末をしていた。
【考案の開示】
【考案が解決しょうとする課題】
【０００３】しかしこれでは、介護する人に、多大な努力と不快な、めに、あわせていた。
【課題を解決するための手段】
【０００４】そこで、病人のお尻の下に、図１の（１）を装着して便が出ると（５）のセンサ−に触れて（３）のモ−タ−についてる（４）の便を細かくする、羽が回転して（６）のポンプが作動して（８）のノズルから水を出して、便と水とで（９）のホ−スを流れて（７）の吸入器によって（７）の中にはいる。
【考案の効果】
【０００５】よって病人が、いつまでも汚れたおしめを付けている事がなく又介護の人にも、不快な思いをする事が無く又労力が軽減できる。
【考案を実施するための最良の形態】
【０００６】図１の（１）の便受けは、病人が邪魔にならない様な大きさにする、（５）のモ−タ−（６）のポンプ（７）の吸入器は（１）の中を洗浄するため、便が無くなってからしばらく作動するのがよい。
【図面の簡単な説明】
【０００７】（図１）は、  本機の簡単な断面図です
（図２）は、  本機を病人に付けた状態です。
【符号の説明】
【０００８】（１）    便を受けて細かくする容器。
（２）    （１）と病人の体を密着するようにしたスポンジ。
（３）    便を細かくする羽を回すモ−タ−。
（４）    便を細かくする羽。
（５）    センサ−。
（６）    水を（８）に送るポンプ。
（７）    便を吸入する吸入器。
（８）    水を出すノズル。
（９）    便を通すホ−ス。
（１０）  水を送るホ−ス。
（１１）  便。
（１２）  俳出する空気を出すホ−ス。
（１３）  （１）を体に固定するバンド。
【図１】
0003114266.tif 000003
【図２】
0003114266.tif 000004
【手続補正書】
【提出日】平成17年4月2日(2005.4.2)
【手続補正１】
【補正対象書類名】実用新案登録請求の範囲
【補正対象項目名】全文
【補正方法】変更
【補正の内容】
【実用新案登録請求の範囲】
【請求項１】
お尻の下の、密着した便を受ける容器に、ポンプで水を注入して排便した時、容器の中の羽を回転して便を細かくし、水と一緒に吸入器によりホースで離れた所の容器に便を移すという構造を有する介護用トイレ。
【手続補正２】
【補正対象書類名】明細書
【補正対象項目名】全文
【補正方法】変更
【補正の内容】
【考案の詳細な説明】
【技術分野】
【０００１】本考案は、寝たきりの病人の大便を、おしめを使わずに、除去する器械である。
【背景技術】
【０００２】従来寝たきり病人の大小便は、おしめによって始末をしていた。
【考案の開示】
【考案が解決しようとする課題】
【０００３】しかし、これでは介護する人に多大な努力と不快な思いをしていた。
【課題を解決するための手段】
【０００４】そこで、病人のお尻の下に図１の（１）の容器を密着し、排便すると（５）のセンサーに触れて（３）のモーターに付いている（４）の羽が回転して、便を細かくし（６）のポンプが作動して（８）のノズルけら水を出して便と水とを混ぜる（１２）の真空ポンプが作動して（９）のホースを通して（１５）の容器に便と水が貯まる。
【考案の効果】
【０００５】よって病人が、いつまでも汚れたおしめを付けている事がなく又介護の人にも、不快な思いをする事が無く又労力が軽減できる。
【考案を実施するための最良の形態】
【０００６】図１の（１）の便受けは、病人が邪魔にならない様な大きさにする（５）のモーター（６）のポン（７）の真空ポンプは、（１）の中を洗浄する為便が無くなってからしばらく作動するのがよい。
【図面の簡単な説明】
【０００７】
【図１】は、  本機の簡単な断面図です。
【図２】は、  本機を病人に付けた状態です。
【符号の説明】
【０００８】（１）    便を受けて細かくする容器。
（２）    （１）と病人の体を密着するスポンジ。
（３）    便を細かくする羽を回すモーター。
（４）    便を細かくする羽。
（４’）  （４）を横からみたもの。
（５）    センサー。
（６）    水を送るポンプ。
（７）    真空ポンプ。
（８）    水を出すノズル。
（９）    便を通すホース。
（１０）  水を送るホース。
（１１）  便
（１２）  排出する空気を出すホース。
（１３）  （１）を体に固定するホース。
（１４）  水を入れる容器。
（１５）  便を貯めておく容器。
【手続補正３】
【補正対象書類名】図面
【補正対象項目名】補正の内容のとおり
【補正方法】変更
【補正の内容】
0003114266.tif 000005
【手続補正書】
【提出日】平成17年7月6日(2005.7.6)
【手続補正１】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
0003114266.tif 000006
【図２】
0003114266.tif 000007